(57)【要約】【課題】外部のコンテンツ供給装置からコンテンツを受信してコンテンツの再生を行うコンテンツ再生装置において、コンテンツ再生中に所謂チャプタスキップを行うことが可能となり、利便性が向上するコンテンツ再生装置を提供する。【解決手段】外部のコンテンツ供給装置からコンテンツを受信する通信部と、前記通信部が受信したコンテンツを再生する再生部と、を有するコンテンツ再生装置において、前記通信部が前記コンテンツ供給装置から受信したコンテンツに基づきチャプタ位置情報を作成するチャプタ位置作成部と、前記チャプタ位置作成部が作成したチャプタ位置情報が記憶される記憶部と、を備え、前記再生部がコンテンツを再生中にチャプタスキップ操作がされると、現在の再生位置に応じた前記記憶部に記憶されたチャプタ位置情報の再生位置からのコンテンツ取得を前記通信部が前記コンテンツ供給装置に要求する構成とした。【選択図】図１
2010251962.tif 000002
【特許請求の範囲】
【請求項１】
外部のコンテンツ供給装置からコンテンツを受信する通信部と、前記通信部が受信したコンテンツを再生する再生部と、を有するコンテンツ再生装置において、
前記通信部が前記コンテンツ供給装置から受信したコンテンツに基づきチャプタ位置情報を作成するチャプタ位置作成部と、
前記チャプタ位置作成部が作成したチャプタ位置情報が記憶される記憶部と、を備え、
前記再生部がコンテンツを再生中にチャプタスキップ操作がされると、現在の再生位置に応じた前記記憶部に記憶されたチャプタ位置情報の再生位置からのコンテンツ取得を前記通信部が前記コンテンツ供給装置に要求することを特徴とするコンテンツ再生装置。
【請求項２】
コンテンツに関する情報がリスト表示されたコンテンツリスト表示においてコンテンツが選択されてチャプタ作成操作がされると、前記チャプタ位置作成部は、前記選択されたコンテンツについてチャプタ位置情報を作成することを特徴とする請求項１に記載のコンテンツ再生装置。
【請求項３】
コンテンツ特定情報に関する判定を行うコンテンツ特定情報判定部を備え、
前記記憶部には、前記チャプタ位置情報と関連付けられてコンテンツ特定情報が記憶され、
前記再生部がコンテンツを再生中に前記チャプタスキップ操作がされると、現在再生中のコンテンツのコンテンツ特定情報が前記記憶部に記憶されているか否かを前記コンテンツ特定情報判定部が判定し、もし記憶されていれば、現在の再生位置に応じた前記記憶部に記憶されたチャプタ位置情報の再生位置からのコンテンツ取得を前記通信部が前記コンテンツ供給装置に要求し、もし記憶されていなければ、前記通信部はコンテンツ取得を前記コンテンツ供給装置に要求しないことを特徴とする請求項１または請求項２に記載のコンテンツ再生装置。
【請求項４】
チャプタ位置情報に関する判定を行うチャプタ位置情報判定部を備え、
前記再生部がコンテンツを再生中に前記チャプタスキップ操作がされると、現在の再生位置に応じた前記記憶部に記憶されたチャプタ位置情報が存在するか否かを前記チャプタ位置情報判定部が判定し、もし存在すれば、現在の再生位置に応じた前記記憶部に記憶されたチャプタ位置情報の再生位置からのコンテンツ取得を前記通信部が前記コンテンツ供給装置に要求し、もし存在しなければ、前記通信部はコンテンツ取得を前記コンテンツ供給装置に要求しないことを特徴とする請求項１〜請求項３のいずれかに記載のコンテンツ再生装置。
【請求項５】
前記再生部がコンテンツを再生中に前記チャプタスキップ操作がされたにもかかわらず、前記通信部がコンテンツ取得を前記コンテンツ供給装置に要求しない場合、警告を行う警告部を備えたことを特徴とする請求項３または請求項４に記載のコンテンツ再生装置。
【発明の詳細な説明】
【技術分野】
【０００１】
本発明は、外部のコンテンツ供給装置からコンテンツを受信しコンテンツを再生するようなコンテンツ再生装置に関する。
【背景技術】
【０００２】
従来から、ＬＡＮ（Local Area Network）等のネットワークを介して外部のコンテンツ供給装置からコンテンツを取得しコンテンツを再生するようなコンテンツ再生装置が存在する。
【０００３】
このようなコンテンツ再生装置として、例えば、特許文献１に、ビデオ機器等の複数の機器にＬＡＮを介して接続されたパーソナルコンピュータであって、接続されたビデオ機器等からコンテンツの情報を取得し、全コンテンツのコンテンツリストを作成し、コンテンツリストからユーザが指定する条件と一致するコンテンツを抽出して、プレイリストを作成するパーソナルコンピュータが開示されている。これにより、ユーザは、複数の機器に収録されたコンテンツを一元的に管理し、手軽にプレイリストを作成してコンテンツを楽しむことができるとしている。
【先行技術文献】
【特許文献】
【０００４】
【特許文献１】特開２００７−３２９５５３号公報
【発明の概要】
【発明が解決しようとする課題】
【０００５】
ここで、コンテンツの再生中に所望の再生位置まで再生位置を飛ばすという、所謂チャプタスキップを行いたいというユーザがいるが、上記特許文献１のパーソナルコンピュータでは、このような要望を実現するための技術的措置がなされていなかった。
【０００６】
上記問題点を鑑み、本発明は、外部のコンテンツ供給装置からコンテンツを受信してコンテンツの再生を行うコンテンツ再生装置において、コンテンツ再生中に所謂チャプタスキップを行うことが可能となり、利便性が向上するコンテンツ再生装置を提供することを目的とする。
【課題を解決するための手段】
【０００７】
上記目的を達成するために本発明のコンテンツ再生装置は、外部のコンテンツ供給装置からコンテンツを受信する通信部と、前記通信部が受信したコンテンツを再生する再生部と、を有するコンテンツ再生装置において、
前記通信部が前記コンテンツ供給装置から受信したコンテンツに基づきチャプタ位置情報を作成するチャプタ位置作成部と、
前記チャプタ位置作成部が作成したチャプタ位置情報が記憶される記憶部と、を備え、
前記再生部がコンテンツを再生中にチャプタスキップ操作がされると、現在の再生位置に応じた前記記憶部に記憶されたチャプタ位置情報の再生位置からのコンテンツ取得を前記通信部が前記コンテンツ供給装置に要求する構成とした。
【０００８】
このような構成によれば、外部のコンテンツ供給装置からコンテンツを受信してコンテンツの再生を行うコンテンツ再生装置において、コンテンツ再生中にユーザがチャプタスキップ操作を行うと、現在の再生位置に応じた再生位置まで再生位置を飛ばしてコンテンツを再生することができ、所謂チャプタスキップが可能となり、利便性が向上する。
【０００９】
また、上記構成のコンテンツ再生装置において、コンテンツに関する情報がリスト表示されたコンテンツリスト表示においてコンテンツが選択されてチャプタ作成操作がされると、前記チャプタ位置作成部は、前記選択されたコンテンツについてチャプタ位置情報を作成する構成としてもよい。
【００１０】
このような構成によれば、ユーザが所望するコンテンツについてチャプタ位置情報を作成することが可能となる。
【００１１】
また、上記いずれかの構成のコンテンツ再生装置において、コンテンツ特定情報に関する判定を行うコンテンツ特定情報判定部を備え、
前記記憶部には、前記チャプタ位置情報と関連付けられてコンテンツ特定情報が記憶され、
前記再生部がコンテンツを再生中に前記チャプタスキップ操作がされると、現在再生中のコンテンツのコンテンツ特定情報が前記記憶部に記憶されているか否かを前記コンテンツ特定情報判定部が判定し、もし記憶されていれば、現在の再生位置に応じた前記記憶部に記憶されたチャプタ位置情報の再生位置からのコンテンツ取得を前記通信部が前記コンテンツ供給装置に要求し、もし記憶されていなければ、前記通信部はコンテンツ取得を前記コンテンツ供給装置に要求しない構成としてもよい。
【００１２】
また、上記いずれかの構成のコンテンツ再生装置において、チャプタ位置情報に関する判定を行うチャプタ位置情報判定部を備え、
前記再生部がコンテンツを再生中に前記チャプタスキップ操作がされると、現在の再生位置に応じた前記記憶部に記憶されたチャプタ位置情報が存在するか否かを前記チャプタ位置情報判定部が判定し、もし存在すれば、現在の再生位置に応じた前記記憶部に記憶されたチャプタ位置情報の再生位置からのコンテンツ取得を前記通信部が前記コンテンツ供給装置に要求し、もし存在しなければ、前記通信部はコンテンツ取得を前記コンテンツ供給装置に要求しない構成としてもよい。
【００１３】
また、上記いずれかの構成のコンテンツ再生装置において、前記再生部がコンテンツを再生中に前記チャプタスキップ操作がされたにもかかわらず、前記通信部がコンテンツ取得を前記コンテンツ供給装置に要求しない場合、警告を行う警告部を備えた構成としてもよい。
【００１４】
このような構成によれば、警告部の警告により、チャプタスキップできないことをユーザが認識することができる。
【発明の効果】
【００１５】
本発明のコンテンツ再生装置によれば、外部のコンテンツ供給装置からコンテンツを受信してコンテンツの再生を行うコンテンツ再生装置において、コンテンツ再生中に所謂チャプタスキップを行うことが可能となり、利便性が向上する。
【図面の簡単な説明】
【００１６】
【図１】本発明に係るコンテンツ再生装置を含む再生システムの概略全体図である。
【図２】本発明に係るコンテンツ再生装置の概略構成図である。
【図３】本発明に係るコンテンツ再生装置のコンテンツリスト表示動作に関するフローチャートである。
【図４】本発明に係るコンテンツ再生装置のチャプタ関連情報作成動作に関するフローチャートである。
【図５】保存されたコンテンツ特定情報およびチャプタ関連情報の一例を示す図である。
【図６】本発明に係るコンテンツ再生装置のチャプタスキップ動作に関するフローチャートである。
【発明を実施するための形態】
【００１７】
以下に本発明の実施形態を図面を参照して説明する。本発明に係るコンテンツ再生装置の一例であるデジタル放送受信対応テレビ（以下、デジタルテレビ）１００を含む再生システムの概略全体図を図１に示す。
【００１８】
デジタルテレビ１００は、コンテンツ供給装置１０１とネットワーク１０２を介して接続される。コンテンツ供給装置１０１は、ハードディスクレコーダ等であり、ネットワーク１０２は、ＬＡＮ等である。コンテンツ供給装置１０１が映像音声データであるコンテンツをネットワーク１０２を介してデジタルテレビ１００に送り、デジタルテレビ１００がこれを受信しデコードすることで、デジタルテレビ１００において映像音声が再生される。
【００１９】
図２に、デジタルテレビ１００の概略構成図を示す。図２に示すように、デジタルテレビ１００は、チューナ２と、復調部３と、ＤＥＭＵＸ（デマルチプレクサ）４と、ＡＶデコーダ５と、音声出力部６と、スピーカ７と、ＯＳＤ（On Screen Display）部８と、映像出力部９と、ディスプレイ１０と、不揮発性メモリ１１と、ＲＯＭ１２と、ＲＡＭ１３と、ＣＰＵ１４と、リモコン受光部１５と、通信部１６と、を備えている。また、デジタルテレビ１００には、デジタル放送信号を受信するアンテナ１が接続される。
【００２０】
チューナ２は、アンテナ１からデジタル放送信号を受信し、デジタル放送信号の選局を行う。復調部３は、選局されたデジタル放送信号をチューナ２から受信し、デジタル復調を行い、ＴＳ（トランスポートストリーム）をＤＥＭＵＸ４に出力する。ＤＥＭＵＸ４は、ＴＳから映像データと音声データを分離し、それぞれをＡＶデコーダ５に出力する。
【００２１】
ＡＶデコーダ５は、ＤＥＭＵＸ４から受け取った音声データに対してデコードを行い、デコード後の音声データを音声出力部６に出力する。音声出力部６は、ＡＶデコーダ５から受け取った音声データをアナログ音声信号に変換してスピーカ７に出力する。スピーカ７は、音声出力部６からのアナログ音声信号に基づき音声を発する。
【００２２】
また、ＡＶデコーダ５は、ＤＥＭＵＸ４から受け取った映像データに対してデコードを行い、デコード後の映像データをＯＳＤ部８に出力する。ＯＳＤ部８は、ＯＳＤ画像データを生成し、ＡＶデコーダ５からの映像データとＯＳＤ画像データを合成し、合成された映像データを映像出力部９に出力する。また、ＯＳＤ部８は、ＡＶデコーダ５からの映像データやＯＳＤ画像データを合成せずにそれぞれ映像出力部９に出力もする。映像出力部９は、ＯＳＤ部８から受け取った映像データをディスプレイ１０の表示に適した映像信号に変換し、映像信号をディスプレイ１０に出力する。ディスプレイ１０は、映像出力部９からの映像信号に基づき映像を表示する。
【００２３】
ＣＰＵ１４は、ＲＯＭ１２に格納された制御プログラムを実行することでデジタルテレビ１００の各部を制御する。ＲＡＭ１３は、ＣＰＵ１４のワークメモリ等として用いられる。不揮発性メモリ１１は、デジタルテレビ１００の電源をオフにしても記憶情報を保持できる記憶装置であり、後述するチャプタ関連情報等が格納される。
【００２４】
リモコン受光部１５は、不図示のリモコン送信機からリモコン赤外線信号を受光しリモコンコード信号に変換しＣＰＵ１４に出力する。
【００２５】
通信部１６は、ネットワーク１０２（図１）を介してコンテンツ供給装置１０１（図１）に各種要求信号等を送信したり、ネットワーク１０２を介してコンテンツ供給装置１０１からコンテンツ等を受信したりする。
【００２６】
次に、このような構成であるデジタルテレビ１００のコンテンツリスト表示動作について図３のフローチャートを用いて説明する。
【００２７】
リモコン送信機（不図示）においてコンテンツリスト表示操作がされると、図３のフローチャートが開始される。まず、ステップＳ３０で、ＣＰＵ１４の指示により通信部１６は、リスト取得要求信号をネットワーク１０２を介してコンテンツ供給装置１０１に送信する。
【００２８】
すると、ステップＳ３１で、通信部１６は、ネットワーク１０２を介してコンテンツ供給装置１０１から、コンテンツを特定する情報であるＵＲＩ（Uniform Resource Identifier）と、コンテンツ属性情報をコンテンツ供給装置１０１に収録された全てのコンテンツについて受信し、受信したＵＲＩおよびコンテンツ属性情報をＲＡＭ１３に格納させる。コンテンツ属性情報は、具体的にはタイトル名、作成日時、再生時間等の情報である。
【００２９】
そして、ステップＳ３２で、ＣＰＵ１４は、ＲＡＭ１３に格納されたコンテンツ属性情報に基づきＯＳＤ部８に指示し、ＯＳＤ部８はＯＳＤ画像データを生成し、タイトル名等のコンテンツ属性情報がディスプレイ１０にリスト表示される。
【００３０】
このようなコンテンツリスト表示からユーザは、デジタルテレビ１００にチャプタ関連情報を作成させることができる。以下、これについて図４のフローチャートを用いて説明する。
【００３１】
コンテンツリスト表示において、あるコンテンツのコンテンツ属性情報をリモコン送信機の操作により選択した状態で、チャプタ作成操作がリモコン送信機においてされると、図４のフローチャートが開始される。
【００３２】
まず、ステップＳ４０で、ＣＰＵ１４の指示により通信部１６は、選択されたコンテンツ属性情報に対応するＵＲＩを含んだコンテンツ取得要求信号をネットワーク１０２を介してコンテンツ供給装置１０１に送信する。
【００３３】
すると、コンテンツ供給装置１０１は、受信したＵＲＩに対応するコンテンツの再生を開始し、コンテンツとしてＴＳ（トランスポートストリーム）をネットワーク１０２を介してデジタルテレビ１００に送信することを開始する。ステップＳ４１で、通信部１６は、コンテンツ供給装置１０１からＴＳを受信し、受信したＴＳをＤＥＭＵＸ４に送る。ＤＥＭＵＸ４は、通信部１６から受け取ったＴＳから映像データを分離し、映像データをＡＶデコーダ５に出力する。ＡＶデコーダ５は、ＤＥＭＵＸ４からの映像データに対してデコードを行い、デコード後の映像データをＲＡＭ１３に格納させる。なお、ＡＶデコーダ５は、デコード後の映像データをＯＳＤ部８には出力せず、ディスプレイ１０にコンテンツの映像は表示されない。
【００３４】
そして、ＣＰＵ１４は、上記ＲＡＭ１３に格納された映像データを解析し、チャプタ関連情報を作成する。チャプタ関連情報は、チャプタインデックスと、チャプタ位置情報からなる。チャプタインデックスは、チャプタの番号である。また、チャプタ位置情報は、時間情報であってもバイト情報であってもよい。映像データの解析は、例えば、平均輝度の時間移動平均値の変化を求め、変化が大きくなる時間的位置をチャプタ位置とすればよい。なお、コンテンツの再生開始位置についてもチャプタ関連情報を作成するようにする。
【００３５】
そして、ステップＳ４２で、ＣＰＵ１４は、ＵＲＩであるコンテンツ特定情報と、作成されたチャプタ関連情報とを関連付けて不揮発性メモリ１１に格納させる。図５に、保存されたコンテンツ特定情報とチャプタ関連情報の一例を示す（チャプタインデックスの１番がコンテンツの再生開始位置を示す）。
【００３６】
そして、図４のフローチャートは終了する（エンド）。
【００３７】
なお、チャプタ関連情報を作成するタイミングは、上記のようにチャプタ作成操作がされたときに限らず、デジタルテレビ１００がユーザにより使用されていないタイミングで自動的にコンテンツを受信しチャプタ関連情報を作成してもよい。
【００３８】
次に、デジタルテレビ１００によるチャプタスキップ動作に関して図６のフローチャートを用いて説明する。
【００３９】
まず、コンテンツリスト表示において、あるコンテンツのコンテンツ属性情報をリモコン送信機の操作により選択した状態で、再生操作がリモコン送信機においてされると、ＣＰＵ１４の指示により通信部１６は、選択されたコンテンツ属性情報に対応するＵＲＩを含んだコンテンツ取得要求信号をネットワーク１０２を介してコンテンツ供給装置１０１に送信する。
【００４０】
すると、コンテンツ供給装置１０１は、受信したＵＲＩに対応するコンテンツの再生を開始し、コンテンツとしてＴＳをネットワーク１０２を介してデジタルテレビ１００に送信することを開始する。通信部１６が、コンテンツ供給装置１０１からＴＳを受信し、受信したＴＳをＤＥＭＵＸ４に送ることで、コンテンツの音声がスピーカ７から発せられ、コンテンツの映像がディスプレイ１０に表示される。
【００４１】
このようなコンテンツの再生状態においてリモコン送信機によりチャプタスキップ操作がされると、図６のフローチャートが開始される。ここで、チャプタスキップ操作には、現在の再生位置に直近の時間的に後のチャプタ位置までスキップさせるチャプタ次スキップ操作と、現在の再生位置に直近の時間的に前のチャプタ位置までスキップさせるチャプタ前スキップ操作とがある。
【００４２】
図６の処理が開始されると、まず、ステップＳ６０で、ＣＰＵ１４は、現在再生しているコンテンツのコンテンツ特定情報が不揮発性メモリ１１に格納されているか否かを判定する。もし、格納されていれば（ステップＳ６０のＹ）、ステップＳ６１に進む。
【００４３】
ステップＳ６１で、ＣＰＵ１４は、現在の再生位置に直近の時間的に後の（チャプタ次スキップ操作の場合）、または前の（チャプタ前スキップ操作の場合）チャプタ位置が、コンテンツ特定情報に対応する不揮発性メモリ１１に格納されたチャプタ位置に存在するか否かを判定する。もし、チャプタ位置が存在すれば（ステップＳ６１のＹ）、ステップＳ６２に進む。
【００４４】
ステップＳ６２で、ＣＰＵ１４の指示により通信部１６は、現在再生中のコンテンツのＵＲＩと、ステップＳ６１で存在したチャプタ位置とを含んだコンテンツ取得要求信号をネットワーク１０２を介してコンテンツ供給装置１０１に送信する。
【００４５】
すると、コンテンツ供給装置１０１は、受信したＵＲＩに対応するコンテンツを、受信したチャプタ位置から再生を開始し、ステップＳ６３で、通信部１６は、コンテンツ供給装置１０１からネットワーク１０２を介してＴＳを受信開始する。そして、通信部１６が受信したＴＳをＤＥＭＵＸ４に送ることにより、スキップ後のチャプタ位置からスピーカ７では音声が、ディスプレイ１０では映像が再生される。
【００４６】
なお、ステップＳ６０で、現在再生しているコンテンツのコンテンツ特定情報が不揮発性メモリ１１に格納されていない場合（ステップＳ６０のＮ）、ステップＳ６４に進み、ＣＰＵ１４はＯＳＤ部８に指示し、チャプタスキップできない旨がディスプレイ１０にエラー表示される。また、ステップＳ６１で、チャプタ位置が存在しなかった場合も（ステップＳ６１のＮ）、ステップＳ６４に進み、同様のエラー表示を行う。
【００４７】
このような実施形態によれば、コンテンツ供給装置１０１からネットワーク１０２を介してコンテンツを取得して再生するコンテンツ再生装置であるデジタルテレビ１００において、ネットワーク１０２を介したコンテンツ再生中にチャプタスキップが可能となり、利便性が向上する。
【００４８】
なお、本発明の実施形態は、以上に限定されることはなく、本発明の趣旨の範囲内であれば様々な変更が可能である。
【００４９】
例えば、デジタルテレビ１００においてチャプタ関連情報が作成された際に、ＣＰＵ１４が、通信部１６を用いてネットワーク１０２を介してコンテンツ供給装置１０１に作成したチャプタ関連情報を送信し、コンテンツ供給装置１０１が、受信したチャプタ関連情報を自身に記録するようにしてもよい。これにより、コンテンツ供給装置１０１単体でチャプタスキップを利用することが可能となる。
【００５０】
また、デジタルテレビ１００において、ＤＥＭＵＸおよびＡＶデコーダをもう一つ設け、チャプタ作成操作がされた場合、通信部１６がコンテンツ供給装置１０１から同じコンテンツの２つのＴＳを受信するようにし、一方のＴＳを新たに設けたＤＥＭＵＸおよびＡＶデコーダを用いて処理し映像データの解析を行うようにし、もう一方のＴＳをＤＥＭＵＸ４およびＡＶデコーダ５を用いて処理しスピーカ７およびディスプレイ１０から映像音声を再生するようにしてもよい。これにより、例えば、早送り再生等の特殊再生の場合でも、映像解析用のＴＳとは別個に再生用のＴＳを処理して再生するので、映像解析に悪影響を及ぼすこともない。
【００５１】
また、コンテンツリスト表示処理の図３において、ステップＳ３１で、ＵＲＩおよびコンテンツ属性情報を取得すると、取得したＵＲＩと一致するコンテンツ特定情報が不揮発性メモリ１１に格納されていれば、ステップＳ３２のコンテンツリスト表示において、一致したＵＲＩに対応するコンテンツ属性情報にはマークを付するようにしてもよい。これにより、どれがチャプタスキップ可能なコンテンツであるかをユーザが確認することができ、利便性が高い。
【符号の説明】
【００５２】
１００    デジタルテレビ
１０１    コンテンツ供給装置
１０２    ネットワーク
１    アンテナ
２    チューナ
３    復調部
４    ＤＥＭＵＸ（デマルチプレクサ）
５    ＡＶデコーダ
６    音声出力部
７    スピーカ
８    ＯＳＤ部
９    映像出力部
１０    ディスプレイ
１１    不揮発性メモリ
１２    ＲＯＭ
１３    ＲＡＭ
１４    ＣＰＵ
１５    リモコン受光部
１６    通信部
【図１】
2010251962.tif 000003
【図２】
2010251962.tif 000004
【図３】
2010251962.tif 000005
【図４】
2010251962.tif 000006
【図５】
2010251962.tif 000007
【図６】
2010251962.tif 000008